(57)【要約】【課題】硬質な突起によりルーフィング材が傷んでしまう。【解決手段】瓦本体２の尻側裏面に突起８を設けると共に、該突起８の下部に弾性を有するクッション材９を設けた屋根瓦１、1a…を、横桟の無い屋根下地Ｗ上、即ちルーフィング材Ｒ上に茸設すると共に、上記屋根瓦１、1a…の尻側の釘孔７を貫通させた釘等を屋根下地Ｗに打ち込んで、屋根瓦１、1a…を屋根下地に固定する。クッション材９がルーフィング材Ｒに密着して、屋根瓦１、1a…が位置ズレせずに屋根下地Ｗ上に葺設状態となり、横桟が不要になる。而も、硬質な突起８がルーフィング材Ｒに接触せず、該ルーフィング材Ｒが傷まない。【選択図】図３
2008214954.tif 000002
【特許請求の範囲】
【請求項１】
平面視略矩形状の瓦本体の頭側に垂れを形成すると共に、尻側に釘孔を貫設し、瓦本体の尻側裏面に突起を設けると共に、該突起の下部に弾性を有するクッション材を設けたことを特徴とする屋根瓦。
【請求項２】
瓦本体の尻側上面に、葺設状態における上方の瓦の垂れの前縁部の当接面を形成したことを特徴とする請求項１記載の屋根瓦。
【発明の詳細な説明】
【技術分野】
【０００１】
本発明は、瓦屋根における屋根下地の横桟を不要にした屋根瓦に関する。
【背景技術】
【０００２】
従来の屋根瓦は、尻側裏面に尻剣が有るのが一般的であり、この屋根瓦を使用した瓦屋根を構築するには、野地坂上に敷設したアスファルトルーフィング等のルーフィング材上に複数本の横桟を所定間隔毎に釘等により固定し、該横桟に屋根瓦の尻剣を引っ掛けると共に、尻側の釘穴を貫通させた釘等を屋根下地に打ち込んで、瓦を屋根下地に固定する様にしている。
しかし、上記構造にあっては、横桟を屋根下地に固定するための墨打ち作業及び横桟の固定作業が必要で、瓦屋根の完成までに長時間を要してしまう等、解決せねばならない課題があった。
【０００３】
そこで、尻側裏面の安定駒を屋根下地側に当接させる、横桟を使用しない瓦屋根の施工方法が見受けられる（例えば、特許文献１参照）。
【０００４】
【特許文献１】特願２００４−１４３７０９号公報（特許請求の範囲、段落番号〔００１１〕）
【発明の開示】
【発明が解決しようとする課題】
【０００５】
しかし、上記構造にあっては、硬質な突起がルーフィング材に直接当接してしまうため、ルーフィング材が傷んでしまって防水機能が低下してしまう危険性が高い等、解決せねばならない課題があった。
【課題を解決するための手段】
【０００６】
本発明は、上記従来技術に基づく、硬質な突起によりルーフィング材が傷んでしまう課題に鑑み、瓦本体の尻側裏面に突起を設けると共に、該突起の下部に弾性を有するクッション材を設けた屋根瓦を、横桟の無い屋根下地上、即ちルーフィング材上に葺設すると共に、上記屋根瓦の尻側の釘穴を貫通させた釘等を屋根下地に打ち込んで、屋根瓦を屋根下地に固定することによって、クッション材がルーフィング材に密着して、屋根瓦が位置ズレせずに屋根下地上に葺設状態となって、横桟が不要になり、而も、硬質な突起がルーフィング材に接触せず該ルーフィング材が傷まない様にして、上記課題を解決する。
【発明の効果】
【０００７】
要するに本発明は、瓦本体の尻側裏面に突起を設けると共に、該突起の下部に弾性を有するクッション材を設けたので、各屋根瓦を固定具で固定するとクッション材が圧縮変形して、ルーフィング材の上面に密着し、屋根下地と一体化するため、屋根下地に横桟が無くても屋根瓦の葺設状態を維持することが出来、よって瓦屋根の構築期間の短縮化を図ることが出来る。
而も、屋根下地上に屋根瓦を載置した場合、クッション材のルーフィング材に対する摩擦抵抗が大きく屋根瓦が下方にズレず、而も屋根瓦側のルーフィング材との接点がクッション材であるため、ルーフィング材が傷まず、よってルーフィング材の傷が原因の雨漏りを防止することが出来る。
【０００８】
瓦本体の尻側上面に、茸設状態における上方の屋根瓦の垂れの前縁部の当接面を形成したので、上方の屋根瓦は、各屋根瓦における垂れの前縁部を、下方の屋根瓦の当接面に当摸させるだけで確実に位置決めすることが出来るため、ルーフィング材への墨打ち作業が不要になり、よって瓦屋根の構築期間を更に短縮することが出来る等その実用的効果甚だ大である。
【発明を実施するための最良の形態】
【０００９】
以下本発明の一実施例を図面に基づいて説明する。
図１は本発明に係る屋根瓦の平面図であり、図２は、図１の背面図であり、図３は、図１の屋根瓦の葺設状態を示す断面図である。
屋根下地Ｗ上に葺設する本発明に係る屋根瓦１、1a…にあっては、平板瓦、Ｊ型瓦又はＳ型瓦等の一般的な形態を呈しており、平面視略矩形状の瓦本体２の一側方を上方重合部３、他側方を下方重合部４とし、瓦本体２の頭側に垂れ５を形成すると共に、尻側上面に水返し６を形成している。又、瓦本体２の尻側に釘孔７を貢設している。
【００１０】
瓦本体２の尻側裏面に１個又は複数個の突起８を一体形成すると共に、該突起８の下部に、例えばシリコン樹脂の様な弾性を有するクッション材９を設けている。
尚、突起８にあっては、尻側裏面における最下部位に形成するのが好ましい。
又、クッション材９にあっては、製造段階で形成されているのが好ましいが、葺設作業時に作業員が突起８の下端にクッション材９を盛り付ける様にしても良い。
又、突起８にあっては、図示の通り、横桟への掛止用の尻剣と同形態とすれば、これまでの成形型を利用して成形可能であることから好ましいが、尻側裏面に突出してさえいれば上記形態に限定されない。
【００１１】
瓦本体２の尻側上面に、尻側に面する当接面10を形成し、該当接面10は、図１、３に示す様に、茸設状態における重合部の境界線に沿って形成された突出部11の尻側に面した側面であったり、図示しないが、葺設状態における重合部の境界線に沿って尻側に面する様に形成された段差部の立上げ面としている。
【００１２】
次に、本発明に係る屋根瓦の葺設方法について鋭明する。
屋根下地Ｗにおける、例えばアスファルトルーフィングの様なルーフィング材Ｒ上に屋根瓦１、1a…を１枚毎に載置すると共に、該屋根瓦１、1a…の釘孔７を通して屋根下地Ｗに打ち込んだ釘、ネジ等の固定具Ｔで屋根瓦１、1a…を屋根下地Ｗに固定し、次に載置する屋根瓦1a、1b…を、固定された屋根瓦１、1a…の下方重合部４にその上方重合部３を重ねる様にして載置した後、同様に固定具Ｔで屋根下地Ｗに固定して、屋根下地Ｗの桁行き方向に葺設、固定する。次に、葺設された屋根瓦１、1a…の尻側に、葺設する屋根瓦１、1a…の頭側をオーバーラップさせると共に、下方の屋根瓦１、1a…の当接面10に、葺設する屋根瓦１、1a…の垂れ５の前縁部を当摸させて載置し、上記と同様に桁行き方向に屋根瓦１、1a…を葺設、固定することを上方へ繰り返し行って、屋根瓦１、1a…を葺設し瓦屋根を構築する。
尚、当接面10の無い屋根瓦１、1a…の場合、ルーフィング材Ｒ上に墨を打ち、それに沿って屋根瓦１、1a…を葺設する様にしている。
【００１３】
次に、本発明に係る屋根瓦の作用について鋭明する。
上記の様に葺設することで、屋根瓦１、1a…における屋根下地Ｗ、即ちルーフィング材Ｒとの接点は突起８の下部のクッション材９であり、葺設時において屋根瓦１、1a…を屋根下地Ｗ上に載置すると、クッション材９のルーフィング材Ｒに対する摩擦抵抗が大きいことから、位置ズレなく載置状態が維持され、各屋根瓦１、1a…を固定する固定具Ｔの打込みによりクッション材９が圧縮変形して、屋根下地Ｗにおけるルーフィング材Ｒの上面に密着して、固定具Ｔの作用とも相俟って屋根瓦１、1a…の位置決めが更に確実になり、而もクッション材９は軟質でルーフィング材Ｒが傷まない。
【図面の簡単な説明】
【００１４】
【図１】本発明に係る屋根瓦の平面図である。
【図２】図１の背面図である。
【図３】図１の屋根瓦の葺設状態を示す断面図である。
【符号の説明】
【００１５】
１、1a…  屋根瓦
２        瓦本体
５        垂れ
７        釘孔
８        突起
９        クッション材
10        当接面
【図１】
2008214954.tif 000003
【図２】
2008214954.tif 000004
【図３】
2008214954.tif 000005